(57)【要約】【課題】  保守点検時等における作業性の向上を図る。【解決手段】  電子機器筺体１は、一面が開口したロアーケース２と一面が開口したアッパーケース３とからなり、アッパーケース３がロアーケース２に対して開閉自在に支持されている。アッパーケース３は、軸支承部９，９に突設された一対の枢軸に回動自在でかつ矢印Ａ方向に移動可能に支持され、移動させることによってロアーケース２から外すことができる。アッパーケース３を閉じることにより、アッパーケース３の段部１６ａがロアーケース２の段部６ａに係合し矢印Ａ方向への移動が規制される。また、アッパーケース３を９０°開くことにより、アッパーケース３の側板１７がロアーケース２の軸支承部９に係合し、９０°以上の開きを規制する。同時に、ロアーケース２の弾性片１１にアッパーケース３の保持体２１が係合し、アッパーケース３のロアーケース２側への倒れ込みを規制する。【選択図】  図１
2006222269.tif 000002
【特許請求の範囲】
【請求項１】
一面が開口した一方のケースと、一面が開口した他方のケースとを備え、前記一方のケースに設けた枢軸を前記他方のケースに設けた軸受孔に係入させることにより、前記枢軸を回動中心として互いの開口部を開閉するように一方のケースに他方のケースを回動自在に支持した電子機器筺体の開閉構造において、前記枢軸をそれぞれの軸線が同一直線上に設けられかつ開放端が共に同じ方向を指向するように一対設け、前記両ケースの開口端に、一方のケースに対する他方のケースの前記枢軸の開放端側への移動を規制し、かつ前記他方のケースが前記一方のケースに対して開くことにより移動規制を解除する移動規制手段を設けたことを特徴とする電子機器筺体の開閉構造。
【請求項２】
請求項１記載の電子機器筺体の開閉構造において、前記移動規制手段を前記両ケースの開口端の前記枢軸に対応した部位に設けたことを特徴とする電子機器筺体の開閉構造。
【請求項３】
請求項１または２記載の電子機器筺体の開閉構造において、他方のケースを前記一方のケースに対して略９０°開くことにより、他方のケースの開放状態を保持する保持手段を設けたことを特徴とする電子機器筺体の開閉構造。
【発明の詳細な説明】
【技術分野】
【０００１】
本発明は、保守点検等を行うためにロアーケースに対してアッパーケースを開閉自在とした電子機器筺体の開閉構造に関するものである。
【背景技術】
【０００２】
例えば、この種の電子機器筺体を壁に掛けて使用するとき、備え付ける場所が部屋の隅である場合、アッパーケースの開き角度が９０°を越えると、電子機器筺体が取り付けられている壁と直交する壁にアッパーケースが当たり、壁を傷付けたりアッパーケース自体も損傷したりするため、予めアッパーケースの開き角度が９０°を越えない構造を採用する場合がある。従来は、一面が開口したロアーケースと、一面が開口したアッパーケースとを備え、ロアーケースの一端部に互いに反対方向へ突設した一対のピンを設け、これらピンにアッパーケースの凹孔を係入することにより、ピンを中心としてアッパーケースをロアーケースに開閉自在に支持し、アッパーケースの開き角度が９０°になるとアッパーケースの一部が回動支持板に係合し、９０°以上の開きを規制するものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特許第３２４２３３５号公報（段落「００２１」、「００２２」、「００２７」および図１ないし図４）
【発明の開示】
【発明が解決しようとする課題】
【０００３】
上述した従来の電子機器筺体の開閉構造においては、アッパーケースをロアーケースに取り付けたままで保守点検等を行わなければならないため、アッパーケースが作業の邪魔になることがあり作業性が悪いという問題があった。
【０００４】
本発明は上記した従来の問題に鑑みなされたものであり、その目的とするところは保守点検時等における作業性の向上を図ることにある。
【課題を解決するための手段】
【０００５】
この目的を達成するために、請求項１に係る発明は、一面が開口した一方のケースと、一面が開口した他方のケースとを備え、前記一方のケースに設けた枢軸を前記他方のケースに設けた軸受孔に係入させることにより、前記枢軸を回動中心として互いの開口部を開閉するように一方のケースに他方のケースを回動自在に支持した電子機器筺体の開閉構造において、前記枢軸をそれぞれの軸線が同一直線上に設けられかつ開放端が共に同じ方向を指向するように一対設け、前記両ケースの開口端に、一方のケースに対する他方のケースの前記枢軸の開放端側への移動を規制し、かつ前記他方のケースが前記一方のケースに対して開くことにより移動規制を解除する移動規制手段を設けたものである。
【０００６】
請求項２に係る発明は、請求項１に係る発明において、前記移動規制手段を前記両ケースの開口端の前記枢軸に対応した部位に設けたものである。
【０００７】
請求項３に係る発明は、請求項１または２に係る発明において、他方のケースを前記一方のケースに対して略９０°開くことにより、他方のケースの開放状態を保持する保持手段を設けたものである。
【発明の効果】
【０００８】
請求項１に係る発明によれば、一方のケースに対して他方のケースを開くことにより、一方のケースから他方のケースを取り外すことができ、また取り付けも容易にできるため、保守点検等の作業性が向上する。
【０００９】
請求項２に係る発明によれば、他方のケースを取り外すことが可能になる開き角度を設定することができるため、所定の開き角度になる以前に他方のケースが誤って取り外されることを規制できるから、取り外す他方のケースによって一方のケースに実装されている電気部品等を破損するおそれがない。
【００１０】
請求項３に係る発明によれば、一方のケースに対して他方のケースを９０°開くことによりこの状態が保持され、他方のケースの一方のケース側への倒れ込みを規制できるため、作業者が他方のケースを支える必要がないから作業者の負担を軽減できる。また、一方のケースから他方のケースを取り外すときおよび取り付けるときに、保持手段をガイドとして機能させることができるため作業性が向上する。
【発明を実施するための最良の形態】
【００１１】
以下、本発明の実施の形態を図に基づいて説明する。図１は本発明に係る電子機器筺体を開いた状態を示す斜視図、図２は同じく電子機器筺体を構成するロアーケースの平面図、図３は同じく電子機器筺体を構成するアッパーケースの底面図、図４（Ａ）は図１におけるIV（Ａ）-IV（Ａ） 線断面図、同図（Ｂ）は図１におけるIV（Ｂ）-IV（Ｂ） 線断面図、図５は図４（Ａ）におけるV-V 線断面図、図６は図２におけるVI-VI 線断面図、図７は同じく電子機器筺体の開閉動作を説明するための図１におけるVII 矢視図である。なお、図６はロアーケースにアッパケースが組み付けられた状態を示している。
【００１２】
図１に全体を符号１で示す電子機器の筺体は、共に一面が開口しプラスチックによって形成されたロアーケース２およびアッパーケース３からなり、それぞれの開口２ａ，３ａを開閉するようにロアーケース２にアッパーケース３が回動自在に支持されている。ロアーケース２は、矩形状に形成された背面板４と、この背面板４の上下端に一体に立設された上板５および底板６と、背面板４の両側端に一体に立設された左右の側板７，８とによって形成されている。上板５、側板７、底板６のそれぞれの開口端５ａ，７ａ，６ａの外縁には、段部５ｂ、段部７ｂ、段部６ｂが連設されており、側板７の中央部には凹部７ｃが設けられている。
【００１３】
背面板４の矢印Ｄ方向の端部であって矢印Ａ−Ｂ方向の両端部には、逆Ｌ字状に形成された一対の軸支承部９，９が一体に立設されており、これら軸支承部９，９の先端部９ａ，９ａには、共に矢印Ａ方向に突設された一対の枢軸１０，１０が一体に設けられている。これら枢軸１０，１０は、図５に示すように、それぞれの開放端１０ａ，１０ａが共に矢印Ａ方向を指向するように軸支承部９，９から突設され、かつこれら枢軸１０，１０のそれぞれの軸線が同一の直線Ｌ上に設けられている。１１，１１は軸支承部９，９の間に設けられた弾性片であって、この弾性片１１は背面板４に一体に立設され、先端部に矢印Ａ−Ｂ方向に延在する凸条体１１ａが設けられている。
【００１４】
アッパーケース３は、矩形状に形成された表面板１４と、この表面板１４の上下端に一体に立設された上板１５および底板１６と、表面板１４の両側端に一体に立設された左右の側板１７，１８とによって形成されている。上板１５、側板１８、底板１６のそれぞれの開口端１５ａ，１８ａ，１６ａの内縁には、段部１５ｂ、段部１８ｂ、段部１６ｂが連設されており、側板１８の中央部には、上記したロアーケース２の凹部７ｃに嵌合する凸部１８ｃが設けられている。
【００１５】
側板１７の矢印Ａ−Ｂ方向の両端部には、一対の軸受片１９，１９が一体に突設されており、これら軸受片１９，１９には、上記したロアーケース２の枢軸１０，１０が係入される軸受孔１９ａ，１９ａが設けられている。これら軸受片１９，１９の間には、表面板１４から一体に立設された一対の保持体２１，２１が設けられており、これら保持体２１，２１の先端には図４（Ｂ）に示すように矢印Ａ−Ｂ方向に延在する凸部２１ａ，２１ａが突設されている。この保持体２１の凸部２１ａは、後述するように、ロアーケース２に対してアッパーケース３を略９０°開くことにより、上記した弾性片１１の凸条体１１ａに当接し、さらにアッパーケース３をわずかに開くと弾性片１１の弾性変形により凸条体１１ａに乗り上げるようにして凸条体１１ａに係合する。
【００１６】
このように凸部２１ａが凸条体１１ａに係合することにより、アッパーケース３はの９０°開いた状態が保持され、これら弾性片１１と保持体２１とが保持手段を形成している。また、ロアーケース２に対してアッパーケース３を略９０°開き、凸部２１ａが凸条体１１ａに係合することにより、アッパーケース３の側板１７が、図４（Ａ）に示すように上記したロアーケース２の軸支承部９，９の先端部９ａ，９ａの裏面に係合し、アッパーケース３の９０°以上の開きを規制する。２２はアッパーケース３の表面板１４に設けられた錠前であって、アッパーケース３をロアーケース２に閉じた状態で鍵操作によって施錠される。
【００１７】
次に、このように構成された電子機器筺体の開閉方法について説明する。先ず、アッパーケース３をロアーケース２に組み付ける方法について説明する。アッパーケース３の軸受片１９，１９を、図５に二点鎖線で示すように、枢軸１０，１０から矢印Ａ方向に離間させた状態で、軸受片１９，１９の軸受孔１９ａ，１９ａをロアーケース２の枢軸１０，１０に対応させる。この状態からアッパーケース３を矢印Ｂ方向に移動させ、軸受片１９，１９の軸受孔１９ａ，１９ａに枢軸１０，１０を係入することにより、アッパーケース３を、図１に示すように枢軸１０，１０を介してロアーケース２に対して回動自在に支持する。
【００１８】
次いで、アッパーケース３を矢印Ｃ方向に回動させ、互いの開口端５ａ，６ａ，７ａと開口端１５ａ，１６ａ，１８ａとを突き合わせるように開口２ａ，３ａを閉じることにより、ロアーケース２の上板５、底板６、側板７のそれぞれの段部５ｂ，６ｂ，７ｂに、アッパーケース３の上板１５、底板１６、側板１８のそれぞれの段部１５ｂ，１６ｂ，１８ｂが係合する。ロアーケース２の底板６の段部６ｂにアッパーケース３の底板１６の段部１６ｂが係合することにより、図６に示すように、ロアーケース２に対してアッパーケース３が矢印Ａ方向への移動を規制され、軸受片１９，１９の軸受孔１９ａ，１９ａが枢軸１０，１０の開放端１０ａ，１０ａから外れるようなことがない。したがって、ロアーケース２の底板６の段部６ｂと、アッパーケース３の底板１６の段部１６ｂとが、ロアーケース２に対するアッパーケース３の枢軸１０，１０の開放端１０ａ，１０ａ側への移動を規制する第１の移動規制手段２５を形成している。
【００１９】
次に、このように、ロアーケース２とアッパーケース３との互いの開口端５ａ，６ａ，７ａと開口端１５ａ，１６ａ，１８ａとを突き合わせて形成した電子機器筺体１を保守点検する方法を説明する。先ず、電子機器筺体１を、ロアーケース２の上板５を上側とし、かつ背面板４の裏面側を壁に取り付けることにより壁に掛ける。この状態で、電子機器筺体１の保守点検を行う場合は、錠前２２を解錠しアッパーケース３をロアーケース２に対して開閉可能な状態とし、図７（Ｂ）に示すようにアッパーケース３を角度α開くことにより、ロアーケース２の底板６の段部６ｂとアッパーケース３の底板１６の段部１６ｂとの係合が解除する。
【００２０】
さらに、ロアーケース２に対してアッパーケース３を略９０°開くことにより、図４（Ｂ）に示すようにロアーケース２の弾性片１１の凸条体１１ａに、アッパーケース３の保持体２１の凸部２１ａが係合し、アッパーケース３のロアーケース２側への倒れ込みが規制される。同時に、アッパーケース３の側板１７が、図４（Ａ）に示すようにロアーケース２の軸支承部９，９の先端部９ａ，９ａの裏面に当接し、アッパーケース３の９０°以上の開きが規制される。したがって、仮に、この電子機器筺体１の取付箇所が壁の端部であって、アッパーケース３の開き方向に電子機器筺体１が取り付けられた壁と直交する別の壁が存在していたとしても、この壁に開いたアッパーケース３が当たるようなことがない。また、アッパーケース３のロアーケース２側への倒れ込みが規制できるため、作業者がアッパーケース３を支える必要がないから作業者の負担を軽減できる。
【００２１】
この状態で、ロアーケース２の底板６の段部６ｂに対するアッパーケース３の底板１６の段部１６ｂの係合が解除しているため、アッパーケース３を枢軸１０，１０の開放端１０ａ，１０ａ側、すなわち矢印Ａ方向に移動させることにより、図５中二点鎖線で示すようにアッパーケース３をロアーケース２から取り外すことができる。このとき、ロアーケース２の弾性片１１の凸条体１１ａに、アッパーケース３の保持体２１の凸部２１ａが係合していることにより、これら凸条体１１ａと凸部２１ａとがアッパーケース３を矢印Ａ方向に移動させる際のガイドとして機能するため、アッパーケース３の取り外しが容易に行える。また、アッパーケース３をロアーケース２から取り外すことができるため、保守点検の際にアッパーケース３が作業の邪魔になることがないから作業性が向上する。
【００２２】
図８および図９は本発明の第２の実施の形態を示し、図８はアッパーケースの開閉状態を説明するための図２におけるVIII-VIII 線断面図、図９は図２におけるIX-IX 線断面図である。なお、両図とも図２にアッパケースが取り付けられているとした状態を示している。また、両図に示した以外の構成は、上述した第１の実施の形態と同じであり、同一または同等の部材については同一の符号を付し詳細な説明は適宜省略する。
【００２３】
この第２の実施の形態においては、ロアーケース２に対するアッパーケース３の枢軸１０，１０の開放端１０ａ，１０ａ側への移動を規制するための第２の移動規制手段３０を、両ケース２，３の開口端５ａ，１５ａの枢軸１０に対応した部位に設けた点に特徴を有する。すなわち、図８に示すように、ロアーケース２の上板５の開口端５ａであって矢印Ｄ方向の端部に、厚みが薄くかつ側面視において凹状に形成された被係合部５ｃが設けられている。また、アッパーケース３の上板１５の開口端１５ａであって矢印Ｄ方向の端部に、厚みが薄くかつ側面視において凸状に形成された係合部１５ｃが設けられている。
【００２４】
これら被係合部５ｃと係合部１５ｃとは、アッパーケース３をロアーケース２に対して閉じた図８（Ａ）の状態で、図９（Ａ）に示すように被係合部５ｃに係合部１５ｃが係合し、アッパーケース３の矢印Ａ方向の移動を規制する。アッパーケース３をロアーケース２に対して略９０°開いた図８（Ｃ）の状態で、被係合部５ｃと係合部１５ｃとの係合が解除され、アッパーケース３の矢印Ａ方向の移動が可能になるように構成されている。  
【００２５】
このように構成されていることにより、アッパーケース３をロアーケース２に対して角度α（α＜９０°）だけ開いた図８（Ｂ）に示す状態では、被係合部５ｃに係合部１５ｃが係合した状態が保持されている。したがって、アッパーケース３の開き角度αが比較的小さいときに、誤ってアッパーケース３を移動させてしまうようなことがないため、アッパーケース３を移動させる際に、ロアーケース２に実装された電子部品等にアッパーケース３を当ることがないから、電子部品等の破損を防止できる。
【図面の簡単な説明】
【００２６】
【図１】本発明に係る電子機器筺体を開いた状態を示す斜視図である。
【図２】本発明に係る電子機器筺体を構成するロアーケースの平面図である。
【図３】本発明に係る電子機器筺体を構成するアッパーケースの底面図である。
【図４】同図（Ａ）は図１におけるIV（Ａ）-IV（Ａ） 線断面図、同図（Ｂ）は図１におけるIV（Ｂ）-IV（Ｂ） 線断面図である。
【図５】図４（Ａ）におけるV-V 線断面図である。
【図６】図２におけるVI-VI 線断面図である。
【図７】本発明に係る電子機器筺体の開閉動作を説明するための図１におけるVII 矢視図である。
【図８】本発明の第２の実施の形態において、アッパーケースの開閉状態を説明するための図２におけるVIII-VIII 線断面図である。
【図９】本発明の第２の実施の形態であって、図２におけるIX-IX 線断面図である。
【符号の説明】
【００２７】
１…電子機器筺体、２…ロアーケース、３…アッパーケース、５ｃ…被係合部、６ｂ，１６ｂ…段部、１０…枢軸、１０ａ…開放端、１１…弾性片、１５ｃ…係合部、１７…側板、１９…軸受片、１９ａ…軸受孔、２５…第１の移動規制手段、３０…第２の移動規制手段。
【図１】
2006222269.tif 000003
【図２】
2006222269.tif 000004
【図３】
2006222269.tif 000005
【図４】
2006222269.tif 000006
【図５】
2006222269.tif 000007
【図６】
2006222269.tif 000008
【図７】
2006222269.tif 000009
【図８】
2006222269.tif 000010
【図９】
2006222269.tif 000011